(57)【要約】【課題】移動局装置における無効となる処理を増加させることなく移動局装置の上り電力を増加させること。【解決手段】移動局装置から基地局装置１に向かう上り方向のデータ伝送に用いる電力を所定の条件下において増加させるサービスに適用され、所定の条件が満たされたときには移動局装置に対して上り電力を増加させる指示を送信するＥ−ＡＧＣＨ／Ｅ−ＲＧＣＨ送信部１４を備える基地局装置１において、移動局装置の移動状態を検出する端末移動状態検出部１２と、端末移動状態検出部１２が検出した移動局装置の移動状態が自己の基地局装置１が形成するセルの外縁に向かって一定以上の速度で移動している状態であるときには、Ｅ−ＡＧＣＨ／Ｅ−ＲＧＣＨ送信部１４における上り電力を増加させる指示の送信を停止させるＥ−ＡＧＣＨ／Ｅ−ＲＧＣＨ送信停止部１３と、を備える。【選択図】図２
2011091733.tif 000002
【特許請求の範囲】
【請求項１】
移動局装置から基地局装置に向かう上り方向のデータ伝送に用いる電力を所定の条件下において増加させるサービスに適用され、上記所定の条件が満たされたときには上記移動局装置に対して上り電力を増加させる指示を送信する上り電力増加指示送信部を備える基地局装置において、
上記移動局装置の移動状態を検出する移動状態検出部と、
上記移動状態検出部が検出した上記移動局装置の移動状態が自己の基地局装置が形成するセルの外縁に向かって一定以上の速度で移動している状態であるときには、上記上り電力増加指示送信部における上記上り電力を増加させる指示の送信を停止させる上り電力増加指示送信停止部と、
を備える、
ことを特徴とする基地局装置。
【請求項２】
請求項１記載の基地局装置において、
前記移動状態検出部は、前記移動局装置と自己の基地局装置との間で送受信される制御チャネルのパス位置の所定時間毎の差分が徐々に大きくなっているときに、前記移動局装置の移動状態が自己の基地局装置が形成するセルの外縁に向かって一定以上の速度で移動している状態であると判断する、
ことを特徴とする基地局装置。
【請求項３】
移動局装置から基地局装置に向かう上り方向のデータ伝送に用いる電力を所定の条件下において増加させるサービスに適用され、
基地局装置が、上記所定の条件が満たされたときには上記移動局装置に対して上り電力を増加させる指示を送信する上り電力増加指示送信ステップを実行する通信制御方法において、
上記移動局装置の移動状態を検出する移動状態検出ステップと、
上記移動状態検出ステップの処理により検出した上記移動局装置の移動状態が自己の基地局装置が形成するセルの外縁に向かって一定以上の速度で移動している状態であるときには、上記上り電力増加指示送信ステップの処理における上記上り電力を増加させる指示の送信を停止させる上り電力増加指示送信停止ステップと、
を有する、
ことを特徴とする通信制御方法。
【請求項４】
請求項３記載の通信制御方法において、
前記移動状態検出ステップの処理は、前記移動局装置と自己の基地局装置との間で送受信される制御チャネルのパス位置の所定時間毎の差分が徐々に大きくなっているときに、前記移動局装置の移動状態が自己の基地局装置が形成するセルの外縁に向かって一定以上の速度で移動している状態であると判断するステップを有する、
ことを特徴とする通信制御方法。
【請求項５】
情報処理装置にインストールすることにより、その情報処理装置に、
請求項１または２記載の基地局装置の機能を実現する、
ことを特徴とするプログラム。
【発明の詳細な説明】
【技術分野】
【０００１】
本発明は、基地局装置、通信制御方法およびプログラムに関する。
【背景技術】
【０００２】
現在、第３〜３．５世代移動通信システムのＷ−ＣＤＭＡ(Wideband Code Division Multiple Access) 方式の１つとして、基地局装置から移動局装置への下り方向（ダウンリンク）の大容量高速パケットデータ転送（最大約１４Ｍｂｐｓのスループット）を提供するＨＳＤＰＡ(High Speed Down link Packet Access)方式が規定され、実際にＷ−ＣＤＭＡ装置において運用が開始されている（たとえば特許文献１参照）。
【０００３】
さらに、このＨＳＤＰＡを補完する技術として、上り方向（アップリンク）の大容量高速パケットデータ転送（上り方向の通信速度を５．８Ｍｂｐｓに高速化）を提供するＨＳＵＰＡ(High Speed Uplink Packet Access)が規定されている。
【０００４】
このＨＳＵＰＡサービスでは、基地局装置において、ＥＵＬ(Enhanced Up Link)端末である移動局装置からの上りデータパケットを効率良く受信できるようスケジューリングが行われる。具体的には、現在の状況（Ａｉｒの状態、伝送路の上り帯域の使用状態など）を確認し、移動局装置に対し、上り電力を増加または減少させるようにＥ−ＡＧＣＨ（絶対伝送速度制御チャネル：E-DCH(拡張専用チャネル：Enhanced Dedicated Channel)Absolute Grant Channel）／Ｅ−ＲＧＣＨ（相対伝送速度制御チャネル：E-DCH Relative Grant Channel）にて通知を行う。
【先行技術文献】
【特許文献】
【０００５】
【特許文献１】特開２００６−３４５４０１号公報
【発明の概要】
【発明が解決しようとする課題】
【０００６】
上述したＨＳＵＰＡサービスでは、ＥＵＬ端末である移動局装置に上り電力を増加させるＥ−ＡＧＣＨ／Ｅ−ＲＧＣＨを通知する必要がある場合であっても、移動局装置がセルの外縁に向かって高速に移動するときには、すぐに上り電力を減少させるためのＥ−ＡＧＣＨ／Ｅ−ＲＧＣＨが通知される場合がある。すなわち上り電力を増加させるＥ−ＡＧＣＨ／Ｅ−ＲＧＣＨが通知された後、すぐに上り電力を減少させるためのＥ−ＡＧＣＨ／Ｅ−ＲＧＣＨが通知されると、移動局装置は、上り電力を増加させたり減少させたりする必要があるので、移動局装置における処理が増加する。
【０００７】
本発明は、このような背景の下に行われたものであって、移動局装置における処理を軽減することができる基地局装置、通信制御方法およびプログラムを提供することを目的とする。
【課題を解決するための手段】
【０００８】
本発明の１つの観点は、基地局装置としての観点である。すなわち、本発明の基地局装置は、移動局装置から基地局装置に向かう上り方向のデータ伝送に用いる電力を所定の条件下において増加させるサービスに適用され、所定の条件が満たされたときには移動局装置に対して上り電力を増加させる指示を送信する上り電力増加指示送信部を備える基地局装置において、移動局装置の移動状態を検出する移動状態検出部と、移動状態検出部が検出した移動局装置の移動状態が自己の基地局装置が形成するセルの外縁に向かって一定以上の速度で移動している状態であるときには、上り電力増加指示送信部における上り電力を増加させる指示の送信を停止させる上り電力増加指示送信停止部と、を備えるものである。
【０００９】
本発明の他の観点は、通信制御方法としての観点である。すなわち、本発明の通信制御方法は、移動局装置から基地局装置に向かう上り方向のデータ伝送に用いる電力を所定の条件下において増加させるサービスに適用され、基地局装置が、所定の条件が満たされたときには移動局装置に対して上り電力を増加させる指示を送信する上り電力増加指示送信ステップを実行する通信制御方法において、移動局装置の移動状態を検出する移動状態検出ステップと、移動状態検出ステップの処理により検出した移動局装置の移動状態が自己の基地局装置が形成するセルの外縁に向かって一定以上の速度で移動している状態であるときには、上り電力増加指示送信ステップの処理における上り電力を増加させる指示の送信を停止させる上り電力増加指示送信停止ステップと、を有するものである。
【００１０】
本発明のさらに他の観点は、プログラムとしての観点である。すなわち、本発明のプログラムは、情報処理装置にインストールすることにより、その情報処理装置に、本発明の基地局装置の機能を実現するものである。
【発明の効果】
【００１１】
本発明によれば、移動局装置における処理を軽減することができる。
【図面の簡単な説明】
【００１２】
【図１】本発明の実施の形態に係る基地局装置を備える移動通信システムの構成図である。
【図２】図１の基地局装置の要部ブロック構成図である。
【図３】図１の基地局装置における制御情報の流れの状況を示す図である。
【図４】図１の基地局装置における端末移動状態検出部の動作を示すフローチャートである。
【図５】図１の基地局装置における端末移動状態検出部が移動局装置の移動状態を検出する方法を説明するための図であり、移動局装置が一定の速度以上でセルの外縁に向かう場合を示す図である。
【図６】図５に示す移動局装置が一定の速度以上でセルの外縁に向かう場合における微小時間経過したパス位置と所定値との関係を示す図である。
【発明を実施するための形態】
【００１３】
（本発明の実施の形態に係る基地局装置１の構成について）
本発明の実施の形態に係る基地局装置１の構成について図１および図２を参照して説明する。図１は、基地局装置１を備える移動通信システムの構成図である。図２は、基地局装置１の要部ブロック構成図である。
【００１４】
基地局装置１は、図１に示すように、ＥＵＬ端末である移動局装置２０との間で無線回線によって通信を行う。また、基地局装置１と移動局装置２０とが所定の通信品質を保って通信を行うことができる範囲としてセル３０が形成される。このように基地局装置１、移動局装置２０およびセル３０によって移動通信システムが構成されている。
【００１５】
基地局装置１は、図２に示すように、スケジューラ部１０、上り電力増加検出部１１、端末移動状態検出部１２、Ｅ−ＡＧＣＨ／Ｅ−ＲＧＣＨ送信停止部１３、およびＥ−ＡＧＣＨ／Ｅ−ＲＧＣＨ送信部１４から構成されている。この構成のうち、スケジューラ部１０およびＥ−ＡＧＣＨ／Ｅ−ＲＧＣＨ送信部１４は、特許文献１などにより公知の機能である。なお、基地局装置１が従来から有する基本的な機能（通信制御機能など）については図示および説明は省略する。
【００１６】
スケジューラ部１０は、移動局装置２０からの上りデータを効率良く受信できるようスケジューリングを実施し、上り電力が上げられる場合、移動局装置２０に、上り電力を増加させるＥ−ＡＧＣＨ／Ｅ−ＲＧＣＨをＥ−ＡＧＣＨ／Ｅ−ＲＧＣＨ送信部１４へ通知する機能を持つ。Ｅ−ＡＧＣＨ／Ｅ−ＲＧＣＨ送信部１４は、スケジューラ部１０からＥ−ＡＧＣＨ／Ｅ−ＲＧＣＨを受け取ると移動局装置２０にＥ−ＡＧＣＨ／Ｅ−ＲＧＣＨを送信する機能を持つ。
【００１７】
上り電力増加検出部１１は、スケジューラ部１０からＥ−ＡＧＣＨ／Ｅ−ＲＧＣＨを受け取る機能、スケジューラ部１０から受け取ったＥ−ＡＧＣＨ／Ｅ−ＲＧＣＨを端末移動状態検出部１２に通知する機能、スケジューラ部１０から受け取ったＥ−ＡＧＣＨ／Ｅ−ＲＧＣＨが上り電力を増加させるものであることを検知する機能、およびスケジューラ部１０から受け取ったＥ−ＡＧＣＨ／Ｅ−ＲＧＣＨが上り電力を増加させるものであることを検知した場合、検知した旨（以下、この検知の結果を検知結果♯１と呼ぶ）を端末移動状態検出部１２に通知する機能を有する。
【００１８】
端末移動状態検出部１２は、上り電力増加検出部１１から検知結果♯１およびＥ−ＡＧＣＨ／Ｅ−ＲＧＣＨを受け取る機能、上り電力増加検出部１１から受け取ったＥ−ＡＧＣＨ／Ｅ−ＲＧＣＨをＥ−ＡＧＣＨ／Ｅ−ＲＧＣＨ送信停止部１３に通知する機能、検知結果♯１を上り電力増加検出部１１から受け取った場合、該当の移動局装置２０がセル３０の外縁に向かって一定以上の速度で移動するＥＵＬ端末か否かを検知する機能、および該当の移動局装置２０がセル３０の外縁に向かって一定以上の速度で移動するＥＵＬ端末であることが検知された場合、検知した旨（以下、この検知の結果を検知結果♯２と呼ぶ）をＥ−ＡＧＣＨ／Ｅ−ＲＧＣＨ送信停止部１３に通知する機能を有する。
【００１９】
Ｅ−ＡＧＣＨ／Ｅ−ＲＧＣＨ送信停止部１３は、端末移動状態検出部１２から検知結果♯２およびＥ−ＡＧＣＨ／Ｅ−ＲＧＣＨを受け取る機能、検知結果♯２を端末移動状態検出部１２から受け取った場合、端末移動状態検出部１２から受け取ったＥ−ＡＧＣＨ／Ｅ−ＲＧＣＨをＥ−ＡＧＣＨ／Ｅ−ＲＧＣＨ送信部１４に通知しない機能、および検知結果♯２を端末移動状態検出部１２から受け取らなかった場合、端末移動状態検出部１２から受け取ったＥ−ＡＧＣＨ／Ｅ−ＲＧＣＨをＥ−ＡＧＣＨ／Ｅ−ＲＧＣＨ送信部１４に通知する機能を有する。
【００２０】
Ｅ−ＡＧＣＨ／Ｅ−ＲＧＣＨ送信部１４は、前述したように、Ｅ−ＡＧＣＨ／Ｅ−ＲＧＣＨ送信停止部１３からＥ−ＡＧＣＨ／Ｅ−ＲＧＣＨを受け取ると、受け取ったＥ−ＡＧＣＨ／Ｅ−ＲＧＣＨを移動局装置２０に送信する。
【００２１】
（基地局装置１の動作について）
次に、基地局装置１の動作について図３〜図８を参照して説明する。図３は、基地局装置１の各部における制御情報の流れの状況を示す図である。図４は、端末移動状況検出部１２の動作を示すフローチャートである。図５〜図８は、端末移動状況検出部１２における移動局装置２０の移動状況の検出方法を説明するための図である。
【００２２】
図３に示すように、スケジューラ部１０は、公知の機能によりＥ−ＡＧＣＨ／Ｅ−ＲＧＣＨを生成し、これを上り電力増加検出部１１に通知する（ステップＳ１）。上り電力増加検出部１１は、スケジューラ部１０からＥ−ＡＧＣＨ／Ｅ−ＲＧＣＨを受け取り、受け取ったＥ−ＡＧＣＨ／Ｅ−ＲＧＣＨが上り電力を増加させるものであることを検知した場合（ステップＳ２）、検知した旨（検知結果♯１）を、端末移動状態検出部１２に通知する。さらに、上り電力増加検出部１１は、スケジューラ部１０から受け取ったＥ−ＡＧＣＨ／Ｅ−ＲＧＣＨを端末移動状態検出部１２に通知する（ステップＳ３）。なお、上り電力増加検出部１１は、スケジューラ部１０から受け取ったＥ−ＡＧＣＨ／Ｅ−ＲＧＣＨが上り電力を増加させるものであることを検知しない場合は、Ｅ−ＡＧＣＨ／Ｅ−ＲＧＣＨのみを端末移動状態検出部１２に通知する（この場合の図示は省略）。
【００２３】
端末移動状態検出部１２は、上り電力増加検出部１１から検知結果♯１を受け取ると、該当の移動局装置２０がセル３０の外縁に向かって一定以上の速度で移動する端末かを検知する（ステップＳ４）。
【００２４】
その結果、端末移動状態検出部１２は、該当の移動局装置２０がセル３０の外縁に向かって一定以上の速度で移動する端末である場合には検出結果♯２およびＥ−ＡＧＣＨ／Ｅ−ＲＧＣＨをＥ−ＡＧＣＨ／Ｅ−ＲＧＣＨ送信停止部１３に通知する（ステップＳ５）。
【００２５】
一方、端末移動状態検出部１２は、該当の移動局装置２０がセル３０の外縁に向かって一定以上の速度で移動する端末でない場合にはＥ−ＡＧＣＨ／Ｅ−ＲＧＣＨのみをＥ−ＡＧＣＨ／Ｅ−ＲＧＣＨ送信停止部１３に通知する（ステップＳ７）。
【００２６】
ここで、端末移動状況検出部１２の動作を図４のフローチャートを参照して説明する。
【００２７】
ＳＴＡＲＴ：端末移動状況検出部１２は、上り電力増加検出部１１から検知結果♯１およびＥ−ＡＧＣＨ／Ｅ−ＲＧＣＨを受け取ると（図３のステップＳ３）、ステップＳ２０の処理へ移行する。
【００２８】
ステップＳ２０：端末移動状況検出部１２は、移動局装置２０から基地局装置１へのＥ−ＤＰＣＣＨ(E-DCH Digital Physical Control Channel)のパス位置が後述する（式１）〜（式ｎ）を満たすか否かを判断する。端末移動状況検出部２は、移動局装置２０から基地局装置１へのＥ−ＤＰＣＣＨのパス位置が後述する（式１）〜（式ｎ）を満たす場合（ステップＳ２０でＹｅｓ）、ステップＳ２１の処理へ移行する。一方、端末移動状況検出部２は、移動局装置２０から基地局装置１へのＥ−ＤＰＣＣＨのパス位置が後述する（式１）〜（式ｎ）を満たさない場合（ステップＳ２０でＮｏ）、ステップＳ２２の処理へ移行する。
【００２９】
ステップＳ２１：端末移動状況検出部１２は、検知結果♯２、およびＥ−ＡＧＣＨ／Ｅ−ＲＧＣＨを、Ｅ−ＡＧＣＨ／Ｅ−ＲＧＣＨ送信停止部１３に通知して（図３のステップＳ５）、処理を終了する（ＥＮＤ）。
【００３０】
ステップＳ２２：端末移動状況検出部１２は、Ｅ−ＡＧＣＨ／Ｅ−ＲＧＣＨをＥ−ＡＧＣＨ／Ｅ−ＲＧＣＨ送信停止部１３に通知して（図３のステップＳ７）、処理を終了する（ＥＮＤ）。
【００３１】
なお、端末移動状態検出部１２は、上り電力増加検出部１１から検知結果♯１を受け取らない場合は何もせず、ただ、上り電力増加検出部１１から受け取ったＥ−ＡＧＣＨ／Ｅ−ＲＧＣＨをＥ−ＡＧＣＨ／Ｅ−ＲＧＣＨ送信停止部１３に通知する。この場合の処理結果は、ステップＳ７の処理結果と同様になる。
【００３２】
図３に戻り、Ｅ−ＡＧＣＨ／Ｅ−ＲＧＣＨ送信停止部１３は、端末移動状態検出部１２から検知結果♯２と共にＥ−ＡＧＣＨ／Ｅ−ＲＧＣＨを受け取った場合（Ｓ５）、受け取ったＥ−ＡＧＣＨ／Ｅ−ＲＧＣＨをＥ−ＡＧＣＨ／Ｅ−ＲＧＣＨ送信部１４に通知しない（ステップＳ６）。
【００３３】
また、Ｅ−ＡＧＣＨ／Ｅ−ＲＧＣＨ送信停止部１３は、端末移動状態検出部１２から検知結果♯２は受け取らずＥ−ＡＧＣＨ／Ｅ−ＲＧＣＨのみを受け取った場合（Ｓ７）、受け取ったＥ−ＡＧＣＨ／Ｅ−ＲＧＣＨをＥ−ＡＧＣＨ／Ｅ−ＲＧＣＨ送信部１４に通知する（ステップＳ８）。
【００３４】
Ｅ−ＡＧＣＨ／Ｅ−ＲＧＣＨ送信部１４は、Ｅ−ＡＧＣＨ／Ｅ−ＲＧＣＨ送信停止部１３からＥ−ＡＧＣＨ／Ｅ−ＲＧＣＨを受け取った場合（Ｓ９）、受け取ったＥ−ＡＧＣＨ／Ｅ−ＲＧＣＨを移動局装置２０に送信する（ステップＳ１０）。
【００３５】
ここで、図５〜図８を参照し、端末移動状況検出部１２における移動局装置２０の移動状態検出方法について説明する。
【００３６】
端末移動状況検出部１２において、移動局装置２０がセル３０の外縁に向かって一定以上の速度で移動しているか否かは、下記の（式１）〜（式ｎ）を満たすかどうかで判別する。
【００３７】
Ｐａｔｈ位置［ｔ＋Δｔ１］−Ｐａｔｈ位置［ｔ］＞α              …（式１）
Ｐａｔｈ位置［ｔ＋Δｔ１＋Δｔ２］−Ｐａｔｈ位置［ｔ＋Δｔ１］＞α    …（式２）
Ｐａｔｈ位置［ｔ＋Δｔ１＋Δｔ２＋Δｔ３］
−Ｐａｔｈ位置［ｔ＋Δｔ１＋Δｔ２］＞α          …（式３）
…
Ｐａｔｈ位置［ｔ＋Δｔ１＋…＋Δｔｎ］
−Ｐａｔｈ位置［ｔ＋Δｔ１＋…＋Δｔ（ｎ−１）］＞α…（式ｎ）
【００３８】
Ｐａｔｈ位置［ｔ］：現在（時刻ｔ）のＥ−ＤＰＣＣＨのパス位置
Ｐａｔｈ位置［ｔ＋Δｔ１］：時刻ｔから微小時間Δｔ１秒経過した際のＥ−ＤＰＣＣＨのパス位置
Ｐａｔｈ位置［ｔ＋Δｔ１＋Δｔ２］：時刻ｔ＋Δｔ１から微小時間Δｔ２秒経過した際のＥ−ＤＰＣＣＨのパス位置
Ｐａｔｈ位置［ｔ＋Δｔ１＋Δｔ２＋Δｔ３］：時刻ｔ＋Δｔ１＋Δｔ２から微小時間Δｔ３秒経過した際のＥ−ＤＰＣＣＨのパス位置
…
Ｐａｔｈ位置［ｔ＋Δｔ１＋…＋Δｔｎ］：時刻ｔ＋Δｔ１＋…＋Δｔ（ｎ−１）から微小時間Δｔｎ秒経過した際のＥ−ＤＰＣＣＨのパス位置
【００３９】
ただし、所定値αの単位は時間であり、Δｔ１〜ｔｎはごく短い時間であり、ｎは自然数である。これらはシステムパラメータでありユーザが適宜設定する。
【００４０】
図５に示すように、移動局装置２０が一定の速度以上でセル３０の外縁に向かっている場合は、移動局装置２０が基地局装置１から徐々に遠ざかる状況である。ここでは、図６に示すように、移動局装置２０からのＥ−ＤＰＣＨのパス位置の所定時間毎の差分が一定以上であるものを高速で移動するものとする。したがって、図６に示すように、移動局装置２０からのＥ−ＤＰＣＣＨのパス位置の所定時間毎の差分が徐々に大きくなる傾向にある。
【００４１】
具体的には、Ｐａｔｈ位置［ｔ］とＰａｔｈ位置［ｔ＋Δｔ１］との時刻差以下となる所定値をαとすれば、それ以後のＰａｔｈ位置［ｔ＋Δｔ１］とＰａｔｈ位置［ｔ＋Δｔ１＋Δｔ２］との時刻差、Ｐａｔｈ位置［ｔ＋Δｔ１＋Δｔ２］とＰａｔｈ位置［ｔ＋Δｔ１＋Δｔ２＋Δｔ３］の時刻差についてはα以下となることはないものとする。
【００４２】
このようにして、端末移動状況検出部１２は、（式１）〜（式ｎ）を満たす場合に、移動局装置２０がセル３０の外縁に向かっていることを検知することができる。
【００４３】
（プログラムを用いた実施の形態について）
また、基地局装置１の各部は、所定のプログラムにより動作する汎用の情報処理装置（ＣＰＵ(Central Processing Unit)、ＤＳＰ(Digital Signal Processor)、マイクロプロセッサ（マイクロコンピュータ）など）によって構成されてもよい。例えば、汎用の情報処理装置は、メモリ、ＣＰＵ、入出力ポートなどを有する。汎用の情報処理装置のＣＰＵは、メモリなどから所定のプログラムとして制御プログラムを読み込んで実行する。これにより、汎用の情報処理装置には、基地局装置１の各部の機能が実現される。
【００４４】
なお、汎用の情報処理装置が実行する制御プログラムは、基地局装置１の出荷前に、汎用の情報処理装置のメモリなどに記憶されたものであっても、基地局装置１の出荷後に、汎用の情報処理装置のメモリなどに記憶されたものであってもよい。また、制御プログラムの一部が、基地局装置１の出荷後に、汎用の情報処理装置のメモリなどに記憶されたものであってもよい。基地局装置１の出荷後に、汎用の情報処理装置のメモリなどに記憶される制御プログラムは、例えば、ＣＤ−ＲＯＭなどのコンピュータ読取可能な記録媒体に記憶されているものをインストールしたものであっても、インターネットなどの伝送媒体を介してダウンロードしたものをインストールしたものであってもよい。
【００４５】
また、制御プログラムは、汎用の情報処理装置によって直接実行可能なものだけでなく、ハードディスクなどにインストールすることによって実行可能となるものも含む。また、圧縮されたり、暗号化されたりしたものも含む。
【００４６】
（効果の説明）
移動局装置２０がセル３０の外縁に向かって一定以上の速度で移動する場合を検知し、移動局装置２０への上り電力を増加させるためのＥ−ＡＧＣＨ／Ｅ−ＲＧＣＨの通知をしないようにしたので、その後上り電力を減少させるためのＥ−ＡＧＣＨ／Ｅ−ＲＧＣＨの通知を行う必要がなく、移動局装置２０は、それらの通知に応じた処理を実行する必要がなくなる。その結果、移動局装置２０における処理を増加を抑制することができる。
【００４７】
また、汎用の情報処理装置とプログラムによって基地局装置１の機能を実現することにより、大量生産や仕様変更（または設計変更）に対して柔軟に対応可能となる。
【符号の説明】
【００４８】
１…基地局装置、１０…スケジューラ部、１１…上り電力増加検出部、１２…端末移動状態検出部、１３…Ｅ−ＡＧＣＨ／Ｅ−ＲＧＣＨ送信停止部、１４…Ｅ−ＡＧＣＨ／Ｅ−ＲＧＣＨ送信部、２０…移動局装置、３０…セル
【図１】
2011091733.tif 000003
【図２】
2011091733.tif 000004
【図３】
2011091733.tif 000005
【図４】
2011091733.tif 000006
【図５】
2011091733.tif 000007
【図６】
2011091733.tif 000008